(57)【要約】      （修正有）【課題】用紙の使用枚数を減らし、使用しやすい配送伝票を提供する。【解決手段】封筒上紙２１と封筒下紙２２の上下周縁を疑似接着し、一方側短縁に開口２４を有する封筒部２０とした封筒部内に、開口から抜き取り可能なように先端を突出させた状態で配達票１６を内包させ、さらに封筒部の上面に複数枚の票を有するようにした複写式多層配送伝票において、封筒上紙２１を貼付票兼お届け先控１７として切り取りして利用できるように、左端縁と上下縁の接着部の内縁に沿って切り取り用ミシン目線を形成した。なお、切り取り用ミシン目線には各種の形状を採用できる。【選択図】図１
2016000472.tif 000002
【特許請求の範囲】
【請求項１】
封筒上紙と封筒下紙の三周縁を接着し、一方側短縁に開口を有する封筒部とした当該封筒部内に、前記開口から抜き取り可能なように先端を突出させた状態で配達票を内包させ、さらに当該封筒部の上面に複数枚の票を有するようにした複写式多層配送伝票において、当該封筒上紙を貼付票兼お届け先控として剥離して利用できるように、封筒上紙と封筒下紙の上下周縁間と封筒上紙と配達票の左端縁間の接着を疑似接着としたことを特徴とする配送伝票。
【請求項２】
封筒上紙と封筒下紙の三周縁を接着し、一方側短縁に開口を有する封筒部とした当該封筒部内に、前記開口から抜き取り可能なように先端を突出させた状態で配達票を内包させ、さらに当該封筒部の上面に複数枚の票を有するようにした複写式多層配送伝票において、当該封筒上紙を貼付票兼お届け先控として剥離して利用できるように、封筒上紙と封筒下紙の上下周縁間を疑似接着し、封筒上紙と配達票の左端縁間の接着を通常の接着とし、さらに該左端縁の接着部の内縁に沿って切り取り用ミシン目線を形成したことを特徴とする配送伝票。
【請求項３】
最上面の票に筆記または印字記録した情報のうち、少なくとも届け先人を視覚で特定できる情報を、封筒下紙面に複写可能にしたことを特徴とする請求項１または請求項２記載の配送伝票。
【請求項４】
前記切り取り用ミシン目線が、「Ｙ字形状」カット部とその間のアンカット部からなるものであるか、「変形Ｌ字形状」カット部とアンカット部からなるであることを特徴とする請求項２記載の配送伝票。
【請求項５】
前記切り取り用ミシン目線が、「漏斗状断面形状」とその間のアンカット部からなるものであることを特徴とする請求項２記載の配送伝票。
【請求項６】
前記切り取り用ミシン目線が、「変形くの字形状」のカット部とその間のアンカット部からなるものであるか、「変形Ｙ字形状」のカット部とその間のアンカット部からなるものであることを特徴とする請求項２記載の配送伝票。
【発明の詳細な説明】
【技術分野】
【０００１】
本発明は配送伝票に関する。詳しくは、封筒上紙と封筒下紙からなる封筒部内に、配達票を内包すると共に、封筒上紙と封筒下紙の間を疑似接着構造にして剥離可能にし、剥離した封筒上紙を貼付票兼お客様控に利用することを特徴とする配送伝票に関する。
【背景技術】
【０００２】
１パート型の配送伝票は、特定の大量ユーザを対象に使用されてきているが、個人的な単品扱いの配送荷物には、従来型の複写式多層配送伝票がやはり主流に用いられている。
複写式多層配送伝票は、筆記圧またはインパクトプリンターで最上層の伝票に記録し、下層の伝票に同時複写する形式であるが、これにも各種の構造のものがある。
一般的には、お届け先控と配達票を封筒上紙と封筒下紙からなる封筒内に納め、該封筒上紙が貼付票となっていて、一端の短縁を接着して綴じたものが、配送荷物に貼り付けされて使われている。封筒下紙の下面には粘着剤層と剥離紙（セパ紙）があって、該剥離紙を剥がして粘着剤層により、配送荷物に貼り付けするものである。
伝票が配送中に破れたり抜け落ちたりしないように、上紙が貼付票である封筒とその内部に納めたお届け先控と配達票のみが配送荷物に貼付されるが、取扱店で扱う当初の伝票には、最上層に請求書兼ご依頼主控、その下に取扱店控等の各種票が備えられている。
【０００３】
ここで、図面を参照して、従来の配送伝票について説明する。
図１１は、従来の配送伝票を示す模式側面図である。
耐水性に優れた複写用紙を封筒上紙２１とし、封筒下紙２２となるタック基材と上下周縁間を接着し、左端縁側はお届け先控１５と接着して封筒部２０を形成する。
この封筒部２０内に、お届け先控１５と配達票１６を配置し、このお届け先控１５と配達票１６の端縁を封筒下紙２２であるタック基材に接着剤Ｓによって接着している。
お届け先控１５と配達票１６は、左端縁側の接着部近くに形成したミシン目線Ｍにより切り取り可能にされている。封筒下紙２２の下面には粘着剤層３１と剥離紙３２が配置されている。
【０００４】
従来から、封筒部２０の下面には、基材と剥離紙３２の間に粘着剤層３１を有するいわゆるタック紙を使用しているが、このタック紙の上側の基材はタック基材と称され、封筒下紙２２として利用されている。
封筒部２０の上には、最上層を請求書兼ご依頼主控１１、その下に取扱店控１２、売上票１３とし、各票が順に積層されている。これらの票間も接着剤Ｓにより接着され、同様にミシン目線Ｍにより切り取り可能にされている。封筒上紙２１は貼付票１４を兼ねるものであるが、封筒下紙２２とともに配送荷物に残るようにされており、切り取り用ミシン目線は設けられていない。
【０００５】
各票間は、裏カーボン紙を使ったコピー方式、あるいはノンカーボン（感圧複写）方式により、最上層の請求書兼ご依頼主控１１に筆記またはプリンター印字した内容を最下層の配達票１６まで、コピーするようにされている。
ここに、「請求書兼ご依頼主控１１」は、配送依頼人に対し取扱店が提出する請求書兼控のことであり、「取扱店控１２」と「売上票１３」は文字どおり店控や売上げの管理に使用される票である。「貼付票１４」は、封筒上紙２１に表示されており、配送荷物と一緒に最後まで残る票である。「お届け先控１５」は、届け先で後に確認するための控として保存する票である。「配達票１６」は、荷物が配送された際に係員が配達の証明として、届け先から捺印またはサインを得る目的の票である。
【０００６】
封筒下紙２２であるタック基材の下側には粘着剤層３１と剥離紙（セパ紙）３２があって、該剥離紙３２を剥がして粘着剤層３１により、配送荷物に貼り付けするものである。
以上の構成は配送伝票の一例であり、企業により一部の票は省略されることがあり、また他の票が追加される場合もあり得る。票の名称も統一されたものではない。
【０００７】
図１２は、従来の配送伝票を示す平面図である。配送荷物に粘着剤層３１により貼付された状態を示すので、除去された請求書兼ご依頼主控１１、取扱店控１２、売上票１３は図示されていない。封筒上紙２１を兼ねる貼付票１４以下の構成が示されている。
封筒下紙２２に対し封筒上紙２１は、上下周縁間を接着し、綴じ側である左端縁側はお届け先控１５と接着し、左端縁と上下周縁の接着部２３を形成している。封筒部２０の右側端縁は開口２４となっている。図１２において、ハッチングを施した部分が、封筒上紙２１裏面の接着部２３であることを透視的に示している。
また、封筒上紙２１と封筒下紙２２は同幅であるが、配送伝票１０ｊの長さ方向に対しては、封筒上紙２１は封筒下紙２２よりは短い寸法にされている。お届け先控１５と配達票１６が封筒上紙２１の開口から突出して上側から視認できるようにするためである。
配達票１６と間違えて、お届け先控１５を切り取りしないように、配達票１６がより長く開口２４から外に出るようにされている。
【０００８】
お届け先控１５と配達票１６の幅は封筒部２０内に納まる幅にされており、前記開口２４からお届け先控１５と配達票１６の先端を引っ張ると、ミシン目線Ｍが破れて抜き取りできるようにされている。配達票１６は、配送荷物が配送された際に、係員が必ず抜き取りするが、お届け先控１５は封筒部２０内に残されることが多い。
【０００９】
図１２において、貼付票１４の上段の１２桁の数字は「お問い合わせ番号」であり、請求書兼ご依頼主控１１から封筒下紙２２の７枚の用紙に共通に付される同一のユニーク番号である。この「お問い合わせ番号」は、複写方式で、封筒下紙２２を含む全ての票に付されている。配送荷物の内容と送り主、届け先等の情報がこの番号により管理されており、管理サーバに蓄積されたデータにより内容が特定されようになっている。
同様に、貼付票１４の下段のバーコード２７も同様の性質を有するが、当該バーコード２７は票毎の印字方式であるが、全ての票には印字されていない。
【００１０】
以上のように、従来の配送伝票１０ｊについて概略説明したが、この従来の配送伝票についてもより使い易くしなければならない課題が指摘されている。
例えば、配送荷物から誤って貼付票１４とお届け先控１５とが切り取り除去された場合、配送荷物には封筒下紙２２のみが残るが、封筒下紙２２には、１２桁の数字である「お問い合わせ番号」のみがコピーされているので、その荷物がどのような内容であるか数字を見るだけでは判断できない問題がある。
【００１１】
また、配送伝票の使用材料の節減を図ることは永久の課題であり、この面からの改善も必要である。特に、お届け先控１５の必要性について検討されている。また、封筒下紙２２であるタック基材は、伝票を配送荷物から全て剥離した場合には、お問い合わせ番号だけを有するほぼ白紙の状態であり、一層の利用価値を高めることが課題になっている。
【００１２】
多層式配送伝票に関する先行技術は多数あるが、本願に密接に関連する文献は検出されない。そこで、多少とも関連する特許文献を挙げる。
特許文献１には、封筒型複写伝票の往時の形態が記載されている。特許文献２には、お届け先控と配達票の関係について記載されている。特許文献３は、タック紙の使用面積を減らすことについて記載している。
【先行技術文献】
【特許文献】
【００１３】
【特許文献１】実公平８−８１２５号公報
【特許文献２】特開２００５−８８３７９号公報
【特許文献３】特開平８−５２９６１号公報
【発明の概要】
【発明が解決しようとする課題】
【００１４】
複写式多層配送伝票において、使用票枚数を減らすと共に、封筒下紙であるタック紙の有効利用を図ることを課題とする。そのため、封筒上紙となる部分を貼付票兼お届け先控として、貼付票とお届け先控との共用を図る。
貼付票兼お届け先控を剥離して使用するため、封筒上紙と封筒下紙の間を疑似接着構造にして剥離可能にする。ミシン目線を併用する構成も検討する。
また、封筒下紙であるタック紙にも、お届け先控と関連する情報、特に読み取り装置を用いないで視覚的に判別できる情報を記録可能とする。
【課題を解決するための手段】
【００１５】
本発明の要旨の１は、封筒上紙と封筒下紙の三周縁を接着し、一方側短縁に開口を有する封筒部とした当該封筒部内に、前記開口から抜き取り可能なように先端を突出させた状態で配達票を内包させ、さらに当該封筒部の上面に複数枚の票を有するようにした複写式多層配送伝票において、当該封筒上紙を貼付票兼お届け先控として剥離して利用できるように、封筒上紙と封筒下紙の上下周縁間と封筒上紙と配達票の左端縁間の接着を疑似接着としたことを特徴とする配送伝票、にある。
【００１６】
本発明の要旨の２は、封筒上紙と封筒下紙の三周縁を接着し、一方側短縁に開口を有する封筒部とした当該封筒部内に、前記開口から抜き取り可能なように先端を突出させた状態で配達票を内包させ、さらに当該封筒部の上面に複数枚の票を有するようにした複写式多層配送伝票において、当該封筒上紙を貼付票兼お届け先控として剥離して利用できるように、封筒上紙と封筒下紙の上下周縁間を疑似接着し、封筒上紙と配達票の左端縁間の接着を通常の接着とし、さらに該左端縁の接着部の内縁に沿って切り取り用ミシン目線を形成したことを特徴とする配送伝票、にある。
【００１７】
上記において、最上面の票に筆記または印字記録した情報のうち、少なくとも届け先人を視覚で特定できる情報を、封筒下紙面に複写可能にすることが好ましい。
【００１８】
また、本発明の要旨の２において、前記切り取り用ミシン目線を、「Ｙ字形状」カット部とその間のアンカット部からなるものであるか、「変形Ｌ字形状」カット部とその間のアンカット部からなるものであるようにすることができ、また、「漏斗状断面形状」とその間のアンカット部からなるものであるようにすることができ、またさらに、「変形くの字形状」のカット部とその間のアンカット部からなるものであるか、「変形Ｙ字形状」のカット部とその間のアンカット部からなるものであるようにすることもできる。
【発明の効果】
【００１９】
封筒上紙を貼付票兼お届け先控として、貼付票とお届け先控との共用を図るので、単独のお届け先控を省略でき、票枚数を減らして資源の節減を図ることができる。
封筒上紙を兼ねる貼付票兼お届け先控が疑似接着構造により、封筒下紙から剥離できるので、必要な場合は容易に控えとして保存できる。
疑似接着構造にミシン目線を併用して切り取りできるようにすることもできる。
封筒下紙面に貼付票兼お届け先控に複写された情報であって、読み取り機を使用しないで視覚のみで内容を判断できる届け先人を複写可能にする場合は、配送荷物に貼付された配送伝票が封筒下紙だけとなった場合にも、荷物の受取人を判断できて好ましい。
上記ミシン目線は、切り取り易い各種の構成を採用できるので、貼付票兼お届け先控が意図しない破れ方をしないようにできる。
【図面の簡単な説明】
【００２０】
【図１】本発明の配送伝票の第１形態を示す平面図である。
【図２】本発明の配送伝票の第１形態を示す模式側面図である。
【図３】本発明の配送伝票の第２形態を示す平面図である。
【図４】本発明の配送伝票の第２形態を示す模式側面図である。
【図５】第２形態の貼付票兼お届け先控のＹ字形状ミシン目線を示す図である。
【図６】第２形態の貼付票兼お届け先控の変形Ｌ字形状ミシン目線を示す図である。
【図７】第２形態の貼付票兼お届け先控の漏斗状断面形状ミシン目線を示す図である。
【図８】第２形態の貼付票兼お届け先控の変形くの字形状ミシン目線を示す図である。
【図９】第２形態の貼付票兼お届け先控の変形Ｙ字形状ミシン目線を示す図である。
【図１０】封筒下紙に複写される情報を示す図である。
【図１１】従来の配送伝票を示す模式側面図である。
【図１２】従来の配送伝票を示す平面図である。
【発明を実施するための形態】
【００２１】
以下、本発明の配送伝票を、図面を参照して説明する。
図１は、本発明の配送伝票の第１形態を示す平面図である。配送荷物に貼付された状態を示すので、請求書兼ご依頼主控１１等の封筒部２０の上側の票は図示していない。封筒上紙２１を兼ねる貼付票兼お届け先控１７以下の構成が示されている。
【００２２】
封筒下紙２２と封筒上紙２１を兼ねる貼付票兼お届け先控１７は、上下周縁と綴じ側である左端縁側とが疑似接着構造Ｇにより接着し、上下周縁と左端縁が疑似接着部２５を形成している。図１において、斜線状のハッチングを施した部分が疑似接着部２５であることを透視的に示している。
疑似接着構造とは通常の使用状態では剥離しない強度で接着しているが、ある剥離力以上の力が作用した場合に容易に剥がれる剥離強度で接着している状態をいう。
このような疑似接着構造Ｇは、一方側紙基材面に剥離層を形成してから、剥離層上に接着剤を適用して基材間を接着することで形成できる。例えば、封筒下紙２２に剥離層を形成してから封筒上紙２１と封筒下紙２２間を接着することにより疑似接着構造になる。
ただし、封筒部２０の左端縁側は、封筒上紙２１を兼ねる貼付票兼お届け先控１７と配達票１６との間が疑似接着部２５にされている。
【００２３】
封筒部２０の右側短縁は開口２４になっている。封筒上紙２１と封筒下紙２２は同幅であるが、配送伝票１０の長さ方向に対しては、封筒上紙２１は封筒下紙２２よりは短い寸法にされている。配達票１６は、封筒２０内に、開口２４から先端を突出させた状態で内包されているので、上方から視認できる。
本配送伝票１０では、単票のお届け先控は省略され、封筒上紙２１が貼付票兼お届け先控１７として双方の役割を兼ねて使用される。従って、封筒部２０には配達票１６のみが内包される。前記開口２４から突出する配達票１６の先端を引っ張ると、ミシン目線Ｍが破れて抜き取りできるのは従来品と同様である。
【００２４】
第１形態の配送伝票１０は、封筒上紙２１を貼付票兼お届け先控１７として、封筒下紙２２から剥離して利用できるように、前記三周縁の接着部を疑似接着構造Ｇによる疑似接着部２５にしてある特徴がある。従って、封筒上紙２１の開口２４の端部を把持して引き剥がせば、貼付票兼お届け先控１７として剥離することができる。
【００２５】
図２は、本発明の配送伝票の第１形態を示す模式側面図である。
図９の従来品と同様に、耐水性に優れた複写用紙を封筒上紙２１とし、封筒下紙２２となるタック基材との上下周縁を疑似接着構造Ｇにより接着して封筒部２０を形成する。
前記のように左端縁側は、配達票１６との間が疑似接着構造Ｇにされている。
この封筒部２０内に、配達票１６を配置し、その左端縁を封筒下紙２２であるタック基材に接着剤Ｓで接着している。他の票間も接着剤Ｓによって接着している。
配達票１６は、接着部近くに形成したミシン目線Ｍにより切り取り可能にされている。請求書兼ご依頼主控１１、取扱店控１２、売上票１３の票を有すること、封筒下紙２２の下面には粘着剤層３１と剥離紙３２が配置されていることも従来品と同じである。
本発明の配送伝票１０の他の特徴は、封筒上紙２１が貼付票兼お届け先控１７として双方の役割を兼ねて使用されることである。
【００２６】
図３は、本発明の配送伝票の第２形態を示す平面図である。配送荷物に貼付された状態を示すので、請求書兼ご依頼主控１１等の封筒２０の上側の票は図示していない。封筒上紙２１を兼ねる貼付票兼お届け先控１７以下の構成が示されている。
【００２７】
封筒下紙２２と封筒上紙２１を兼ねる貼付票兼お届け先控１７は、上下周縁が疑似接着構造Ｇにより接着しており疑似接着部２５を形成している。第２形態では、左端縁側は、通常の接着部２３となっており、接着部２３に沿ってミシン目線ｍ１が形成されている特徴がある。
図３において、斜線状のハッチングを施した上下周縁部分が疑似接着部２５であり、点状のハッチングが施された左端縁側は通常の接着部２３であることを透視的に示している。
【００２８】
封筒部２０の右側短縁が開口２４になっていること、単票のお届け先控１５が省略され、封筒上紙２１が貼付票兼お届け先控１７として双方の役割を兼ねて使用されることは、第１形態の場合と同様である。
【００２９】
第２形態の配送伝票１０は、上下周縁を疑似接着構造Ｇにより接着して封筒部２０を形成しているが、左端縁側は通常の接着部２３になっているので、貼付票兼お届け先控１７の全面を剥離することはできない。そこで、左端縁側は接着部２３に沿ってミシン目線ｍ１を設け、貼付票兼お届け先控１７を切り取りするようにされている。
【００３０】
図４は、本発明の配送伝票の第２形態を示す模式側面図である。
耐水性に優れた複写用紙を封筒上紙２１とし、封筒下紙２２となるタック基材との上下周縁を疑似接着構造Ｇにより接着して封筒部２０を形成しているのは、第１形態と同様である。左端縁側は、配達票１６との間が通常の接着剤Ｓにより接着している。
この封筒部２０内に、配達票１６を配置し、その端縁を封筒下紙２２であるタック基材に接着剤Ｓによって接着している。他の票間も接着剤Ｓによって接着している。
【００３１】
第２形態では、ミシン目線ｍ１を各種の形状にすることができるので、以下、説明する。
図５は、第２形態の貼付票兼お届け先控のＹ字形状ミシン目線を示す図である。ミシン目線ｍ１のみを示し他の構成を省略して図示している。図６〜図９も同様である。
図３のミシン目線ｍ１は鎖線状であるが、図５のように、縦にした「Ｙ字形状」のカット部ｃ１とその間のアンカット部ｕ１との連なりからなるミシン目線であっても良い。
「Ｙ字形状」の上部のＶ形状が、切り裂き進行方向を受ける形状になっており、「Ｙ字形状」の下部の直線状のＩ形状部分が、切り裂き進行方向を直線方向に誘導する形状になっている。切り取りの進行方向は、図５において、貼付票兼お届け先控１７の上辺側から下辺側への方向となるが、「Ｙ字形状」を逆向き（下向き）にして、下辺側から上辺側に切り取りしても良いものである。
【００３２】
図６は、第２形態の貼付票兼お届け先控の変形Ｌ字形状ミシン目線を示す図である。
ミシン目線ｍ１は、図６のようにしても良い。このミシン目線ｍ１は、縦長のカット部ｃ２と当該カット部に開角αが１２０°から１６０°程度の角度で屈曲して接続する短いカット部ｃ３からなる形状（以下および特許請求の範囲で、「変形Ｌ字形状」という。）と上記縦長のカット部ｃ２間のアンカット部ｕ２からなっている。
切り取りの進行方向は、図６において、貼付票兼お届け先控１７の下辺側から上辺側への方向となるが、「変形Ｌ字形状」を逆向きにして、上辺側から下辺側に切り取りしても良いものである。
【００３３】
図７は、第２形態の貼付票兼お届け先控の漏斗状断面形状ミシン目線を示す図である。
ミシン目線ｍ１は、図７のようにしても良い。このミシン目線ｍ１は、異なる方向αで開角する前記「変形Ｌ字形状」の二つのカット線ｃ４，ｃ５を向かい合わせて対称的に配置し、当該二つのカット線の配置から漏斗状の断面形状（以下および特許請求の範囲で、「漏斗状断面形状」という。）を形成し、当該「漏斗状断面形状」を、アンカット部ｕ３を介して直線状に配列した形状からなっている。
この場合のミシン目線ｍ１は、一定幅ｗ１を有するものとなる。
切り取りの進行方向は、図７において、貼付票兼お届け先控１７の下辺側から上辺側への方向となるが、「漏斗状断面形状」を逆向きにして、上辺側から下辺側に切り取りしても良いものである。
【００３４】
図８は、第２形態の貼付票兼お届け先控変形くの字形状ミシン目線を示す図である。
ミシン目線ｍ１は、図８のようにしても良い。このミシン目線ｍ１には、変形したくの字形状（以下および特許請求の範囲で、「変形くの字形状」という。）のミシン目線を使用できる。変形くの字形状のミシン目線は、平行して延びるカット線ｃ６，ｃ７の間を接続する緩やかに屈曲するカット線ｃ８が連結して全体として「変形くの字形状」のカット線を形成している。カット線ｃ８が屈曲する幅ｗ２が、アンカット部ｕ４の長さになっている。
切り取りの進行方向は、図８において、貼付票兼お届け先控１７の上辺側から下辺側への方向となるが、「変形くの字形状」を逆向きにして、下辺側から上辺側に切り取りしても良いものである。
【００３５】
図９は、第２形態の貼付票兼お届け先控の変形Ｙ字形状ミシン目線を示す図である。
ミシン目線ｍ１は、図９のようにしても良い。このミシン目線ｍ１は、変形したＹ字形状（以下および特許請求の範囲で、「変形Ｙ字形状」という。）のミシン目線となっている。
変形Ｙ字形状のミシン目線は、カット方向に平行なカット線ｃ９に対して、一方側に大きく斜行するカット線ｃ１０が接続している。カット線ｃ１０には、さらにカット線ｃ１１とカット線ｃ１２が接続している。このように、カット線ｃ１０，ｃ１１，ｃ１２が大きい形状にされているのは、ミシン目線ｍ１が内側の票の領域に進行するのを防止する効果を持たせるためである。ｃ１２はカット線がさらに内側に進行するのを強制阻止して反転させる目的である。カット線ｃ９に対して、票の外側方向には、短いカット線ｃ１３が接続している。
図９の場合、変形したＹ字形状が上向きであり、上辺を切り取り開始端にするが、Ｙ字形状を下向きにして、下辺を切り取り開始端とすることもできる。
【００３６】
図５ないし図９の各カット線ｃ１〜ｃ１３の長さは、ミシン目線ｍ１，ｍ２，ｍ３の長さにより任意に設定できるが、連続しているカット線全体の長さ（カット部全体のカット進行方向の長さ）は、２〜８ｍｍ、アンカット部ｕ１〜ｕ５は、０．５〜２ｍｍ程度とするのが好ましいと考えられる。各カット線ｃ１〜ｃ１３のそれぞれの長さは、カット形状の主旨を勘案して適宜に設定することができる。
【００３７】
図１０は、封筒下紙に複写される情報を示す図である。
封筒下紙２２には、貼付票兼お届け先控１７に複写された情報の一部の情報を記録することが好ましい。図１０では、お届け先の住所・氏名、電話番号、および依頼主の住所・氏名が複写されているが、氏名だけであっても良く任意に選択できる。届け先であることが明瞭になるように、封筒下紙（タック基材）２２にも、枠形状等の表示印刷をしておくことが好ましい。従来から、封筒下紙２２の右上には、ユニーク番号である１２桁のお問い合わせ番号が複写されているが、この番号では運送会社に、問い合わせて確認する必要があり、直ぐには配送荷物の内容を判断できない状況であった。
従って、複写される情報は、読み取り装置を使用しないで視覚だけで、直ちに内容を判断できる情報が好ましい。
【００３８】
〈材質に関する実施形態〉
（１）伝票用紙
各伝票用の用紙には、ノーカーボン用紙や複写用紙を使用できる。表面側から、１枚目、２枚目の用紙にはノーカーボン用紙を使用することが多く、下層では複写性の優れるカーボン用紙を使用することが好ましい。封筒上紙２１には、雨や雪濡れの対策として、耐水複写用紙を使用するのが好ましい。
（２）粘着剤と剥離紙
粘着作用をする通常の粘着剤を粘着剤層３１に広く使用できる。剥離紙３２には紫外線硬化性樹脂やシリコン等により剥離処理した材料を使用できる。
【実施例】
【００３９】
（実施例１）
１枚目用紙（請求書ご依頼主控１１）とタック紙の大きさを、長さ２０２ｍｍ、幅１１４ｍｍとし、封筒上紙（貼付票兼お届け先控１７）の大きさを、長さ１８６ｍｍ、幅１１４ｍｍ、配達票は、長さ２００ｍｍ、幅１０２ｍｍとなるようにして配送伝票１０を製造した。１枚目用紙と封筒上紙２１の間の票は１枚目用紙と同サイズである。
なお、タック紙とは、タック基材（封筒下紙２２）と剥離紙３２の間を粘着剤で接着したものである。
【００４０】
１枚目用紙（請求書ご依頼主控１１）にノーカーボントップ（４０ｇ／ｍ２）、２枚目用紙（取扱店控１２）にノーカーボンボトム（４０ｇ／ｍ２）、３枚目用紙（売上票１３）に複写用紙（４１ｇ／ｍ２）、４枚目用紙（封筒上紙２１を兼ねる貼付票兼お届け先控１７）に耐水複写用紙（５０ｇ／ｍ２）、５枚目用紙（配達票１６）に複写用紙（５０ｇ／ｍ２）を使用した。封筒下紙２２にはタック紙のタック基材を使用した。
【００４１】
連続紙状の各枚目に文字・デザインをオフセット印刷で印刷し、バーコード２７をバーコード字輪で印字した後、連続紙のサイドの送り穴で位置合わせしながら、各用紙の丁合と接着剤による綴じ合わせ、および綴じ側のミシン目線の形成を行い、クラッシュナンバー機でお問合わせ番号（１２桁の数字）の印字を行って、配送伝票１０を完成した。
なお、封筒上紙２１と封筒下紙の上下周縁間、および封筒上紙２１と配達票１６の左端縁間は疑似接着構造Ｇによる擬似接着部２５とした。
なお、タック基材（封筒下紙２２）にも届け先人の住所、氏名の複写欄に所定形状の枠印刷を施しておいた。これにより、第１形態の配送伝票１０が完成した。
【００４２】
（実施例２）
実施例１と同サイズの配送伝票を、同一材料を使用し同一条件で製造した。
ただし、封筒上紙２１と配達票１６の上下周縁間は疑似接着構造Ｇによる擬似接着部２５としたが、封筒上紙２１と配達票１６の間の左端縁間は通常の接着剤Ｓによる接着部２３とした。また、４枚目用紙（封筒上紙２１を兼ねる貼付票兼お届け先控１７）には、ミシン目線ｍ１をカット部４ｍｍ、アンカット部１ｍｍとする鎖線状に形成した。
これにより、第２形態の配送伝票１０が完成した。
【００４３】
（実施例３）
実施例２と同サイズの配送伝票を、同一材料を使用し同一条件で製造した。
ただし、前記貼付票兼お届け先控１７の切り取り用ミシン目線ｍ１を、図５に図示のような「Ｙ字形状」のカット部とその間のアンカット部からなるものとした。
これにより、第２形態の配送伝票１０が完成した。
【００４４】
（実施例４）
実施例２と同サイズの配送伝票を、同一材料を使用し同一条件で製造した。
ただし、前記貼付票兼お届け先控１７の切り取り用ミシン目線ｍ１を、図６に図示のような「変形Ｌ字形状」のカット部とその間のアンカット部からなるものとした。
これにより、第２形態の配送伝票１０が完成した。
【００４５】
（実施例５）
実施例２と同サイズの配送伝票を、同一材料を使用し同一条件で製造した。
ただし、前記貼付票兼お届け先控１７の切り取り用ミシン目線ｍ１を、図７に図示のような「漏斗状断面形状」とその間のアンカット部からなるものとした。
これにより、第２形態の配送伝票１０が完成した。
【００４６】
（実施例６）
実施例２と同サイズの配送伝票を、同一材料を使用し同一条件で製造した。
ただし、前記貼付票兼お届け先控１７の切り取り用ミシン目線ｍ１を、図８に図示のような「変形くの字形状」のカット部とその間のアンカット部からなるものとした。
これにより、第２形態の配送伝票１０が完成した。
【００４７】
（実施例７）
実施例２と同サイズの配送伝票を、同一材料を使用し同一条件で製造した。
ただし、前記貼付票兼お届け先控１７の切り取り用ミシン目線ｍ１を、図９に図示のような「変形Ｙ字形状」のカット部とその間のアンカット部からなるものとした。
これにより、第２形態の配送伝票１０が完成した。
【００４８】
実施例１〜実施例７で完成した配送伝票１０を実用したところ、貼付票兼お届け先控１７の剥離または剥離・切り取りが円滑にでき、その他の点においても支障なく使用できることが確認できた。
【符号の説明】
【００４９】
１０  配送伝票
１０ｊ  従来の配送伝票
１１  ご依頼主控
１２  取扱店控
１３  売上票
１４  貼付票
１５  お届け先控
１６  配達票
１７  貼付票兼お届け先控
２０  封筒部
２１  封筒上紙
２２  封筒下紙
２３  接着部
２４  開口
２５  疑似接着部
２７  バーコード
３１  粘着剤層
３２  剥離紙（セパ紙）
Ｓ  接着剤
Ｇ  疑似接着構造
Ｍミシン目線
【図１】
2016000472.tif 000003
【図２】
2016000472.tif 000004
【図３】
2016000472.tif 000005
【図４】
2016000472.tif 000006
【図５】
2016000472.tif 000007
【図６】
2016000472.tif 000008
【図７】
2016000472.tif 000009
【図８】
2016000472.tif 000010
【図９】
2016000472.tif 000011
【図１０】
2016000472.tif 000012
【図１１】
2016000472.tif 000013
【図１２】
2016000472.tif 000014